(57)【要約】      （修正有）【課題】マイクロホンの形状を口周辺からのど元にかけて顎全体を被う形にしたことにより、会議、会合等において音声が外部へ漏洩することを防止する。【解決の手段】マイクロホン本体については、形状を上唇からのど元までを被う形にする。内部は水滴の付着、湿気防止の為の対応として、速乾、防湿の素材による被膜、及び同様の処理を施した紙コップの形状のものを挿入することにより交換を容易にした。ＩＣレコ−ダ−を音声の集積ステ−ションとして、マイクロホンコ−ドとイヤホンコ−ドとを一体化にしたものをタップ形式によって接続することにより、人数への対応が外部から可能になる。以上の器具の使用により、会話時の音声漏洩を防止することができる。【選択図】図１
0003138186.tif 000002
【実用新案登録請求の範囲】
【請求項１】
マイクロホンに消音機能を付加し、発声の際、音声が外部へ漏れることを防止するようにしたこと。
【請求項２】
発声等による湿気、水滴の付着防止対策として、マイクロホン内部に速乾、防湿素材の被膜、または同様の素材製の紙コップの形状のものを使用することにより交換可能を簡単にしたこと。
【請求項３】
マイクロホンの形状に関して、発声に伴う唇周辺の動きを考慮して、上唇のすぐ上からのど元にかけて顎も被う形にしたこと。できれば、上唇の辺りは伸縮性の素材を用いて密着度を高めれば、より効果が期待できる。
【請求項４】
コ−ドに関して、マイクロホンコ−ドとイヤホンコ−ドとを一体化にしたものを用いたこと。
【請求項５】
一体化にしたコ−ドをタップ形式によってレコ−ダ−と接続することにより、外部から人数に対応できるようにしたこと。
【請求項６】
発言時にはマイク等にシグナルがつくようにする。
【考案の詳細な説明】
【技術分野】
【０００１】  本考案は、会議あるいは小人数の会合等においての、音声が外部へ漏洩することを防止する為の器具である。
【背景技術】
【０００２】  従来は、ＩＣレコ−ダ−について本考案と同様の使用法はなされていなかった。
コ−ドの一体化については、通販イエメンの集音器を参考にした。
防湿等については、高吸収性樹脂の利用等が考えられる。
一体化したコ−ドをＩＣレコ−ダ−にタップ形式によって接続する方法については、従来のタップ形式にヒントを得た。
【考案の開示】
【考案が解決しようとする課題】
【０００３】  ［０００１］の内容と重複するが、小人数の会合あるいは会議等の際、会議の内容が音声によって外部へ漏洩することを防ぐ為のものである。
【課題を解決する為の手段】
【０００４】  マイクロホンの形状は上唇のすぐ上からのど元まで顎を被う形として、可能ならば、発声に伴う唇の動きに対応する為に、上唇辺りは伸縮性の素材を使用することにより密着度を高める。マイクロホン内部は防湿、速乾性の素材による被膜、及び同様の処理を施した紙コップ状のものを挿入して交換する等、水滴への対応を考える。ＩＣレコ−ダ−を音声の集積ステ−ションとして考え、マイクロホンコ−ドとイヤホンコ−ドとの一体化したものを、タップ形式でＩＣレコ−ダ−に接続して、人数への対応を外部から行う。
以上の方法により所期の目的が達成できると考える。
【考案の効果】
【０００５】  上述の様に、このマイクロホンの使用により、会話時の音声の漏洩を防ぐことができる。一体化したコ−ドをタップ形式によってレコ−ダ−に接続する為に外部から人数への対応が容易にできて、非常に役立つと思う。
【考案を実施する為の最良の形態】
【０００６】  ＩＣレコ−ダ−を音声の集積ステ−ションと考える。
マイクロホンについては消音機能の素材、または消音機能を付加して、唇周辺から顎全体を被ってのど元まで達する大きさにすることにより、発声時の音声漏洩を防ぐ。上唇周辺に伸縮性の素材を用いることにより密着度を高める。
マイクロホンのボディは、耐久性プラスチックまたは軽量の素材に消音の処理を施したものを使用する。
発言時には、発言者認識の為のシグナルをボディにつける。
マイクロホン内部は速乾、防湿（例  高吸収性樹脂等利用）に仕上げ、同様の処理を施した紙コップ状のものを使用して交換可能にする。
マイクロホンコ−ドとイヤホンコ−ドを一体化することで簡便となり、レコ−ダ−にタップ形式で接続することにより人数への対応を図る。
【実施例】
【０００７】  以下、添付図面に従って実施例を説明する。
実験では、マイクロホンのボディにプラスチック製の懐中電灯を使用している。
形状は、口元の部分については上唇周辺からのど元に達する程度の直径を必要とする。
消音機能を必要とする。
内部については、速乾、防湿の処理を施し、同様の処理を施した紙コップ状のものを使用することにより容易に交換可能となる。
マイクロホンコ−ドとイヤホンコ−ドは一体化にして、タップ形式によってレコ−ダ−と接続する。
【産業上の利用可能性】
【０００８】  会議、会合等において発声の際の音声の漏洩を防止する。
生産コストについては、ＩＣレコ−ダ−、高吸収性樹脂等のノウハウの利用により低く押さえられるのではないか。
【図面の簡単な説明】
【０００９】
【図１】  本考案のマイクロホンのボディの見取り図である。
【図２】  マイクロホンコ−ドとイヤホンコ−ドとの一体化したものである。
【符号の説明】
【００１０】１  マイクロホン本体
２  口元に接触する部分
３  取っ手
４  マイクロホンコ−ド
５  イヤホンコ−ド
６  マイクロホンコ−ドとイヤホンコ−ドとの一体化したコ−ド
７  ＩＣレコ−ダ−
８  タップ形式による接続器
９  タップへの差し込み口
【図１】
0003138186.tif 000003
【図２】
0003138186.tif 000004
【手続補正書】
【提出日】平成19年6月13日(2007.6.13)
【手続補正１】
【補正対象書類名】明細書
【補正対象項目名】０００４
【補正方法】追加
【補正の内容】
【０００４】マイクロホンの素材については、ボディに消音機能を付加、または軽量の消音（防音）素材を用いる。発言時にはマイク等にシグナルがつくようにして、形状は、上唇のすぐ上からのど元まで顎を被う形として、可能ならば、発声に伴う唇の動きに対応する為に、上唇辺りは伸縮性の素材を使用することにより密着度を高める。マイクロホン内部は防湿、速乾性の素材による被膜、及び同様の処理を施した紙コップ状のものを挿入して交換する等、水滴への対応を考える。ＩＣレコ−ダ−を音声の集積ステ−ションとして考え、マイクロホンコ−ドとイヤホンコ−ドとの一体化したものをタップ形式でＩＣレコ−ダ−に接続して、人数への対応を外部から行う。
以上の方法により所期の目的が達成できると考える。
【手続補正書】
【提出日】平成19年6月13日(2007.6.13)
【手続補正１】
【補正対象書類名】実用新案登録請求の範囲
【補正対象項目名】全文
【補正方法】変更
【補正の内容】
【実用新案登録請求の範囲】
【請求項１】
マイクロホンに消音機能を付加し、または軽量の消音（防音）素材を用いて、発声の際、音声が外部へ漏れることを防止するようにしたマイクロホン。
【請求項２】
発声等による湿気、水滴の付着防止対策として、マイクロホン内部に速乾、防湿素材による被膜、または同様の素材製紙コップ状のものを挿入することにより、交換を容易にしたマイクロホン。
【請求項３】
マイクロホンの形状に関して、上唇の辺りは伸縮性の素材を用いて密着度を高めることを考慮に入れ、上唇のすぐ上からのど元にかけて顎も被う形のマイクロホン。
【請求項４】
発言時には、ボディにシグナルがつくような工夫を施したマイクロホン。
【請求項５】
コ−ドに関して、マイクロホンコ−ドとイヤホンコ−ドとを一体化したコ−ドを用いた、音声の外部への漏洩を防ぐ為の器具。
【請求項６】
ＩＣレコ−ダ−を音声の集積ステ−ションとして中央に置き、一体化したコ−ドをタップ形式によってレコ−ダ−と接続することにより、外部から人数への対応が可能な器具。
【手続補正書】
【提出日】平成19年6月18日(2007.6.18)
【手続補正１】
【補正対象書類名】実用新案登録請求の範囲
【補正対象項目名】請求項５
【補正方法】変更
【補正の内容】
【請求項５】
［コ−ドに関して、マイクロホンコ−ドとイヤホンコ−ドとを一体化したコ−ドを用いた音声の漏洩を防ぐ為の器具。］
コ−ドに関しては、マイクロホンコ−ドとイヤホンコ−ドとを一体化状にすることによって簡便化を図った、音声防止の為の器具。
0003138186.tif 000005
【手続補正書】
【提出日】平成19年6月18日(2007.6.18)
【手続補正１】
【補正対象書類名】実用新案登録請求の範囲
【補正対象項目名】請求項３
【補正方法】変更
【補正の内容】
【請求項３】
［マイクロホンの形状に関して、上唇の辺りに伸縮性の素材を用いて密着度を高めることも考慮に入れ、上唇のすぐ上からのど元にかけて顎も被う形に仕上げたママイクロホン。］
マイクロホンの形状に関して、上唇のすぐ上からのど元にかけて顎も被う形に仕上げたマイクロホン（Ａ）
口元の周囲に伸縮性の素材を用いて密着度を図ったマイクロホン。（Ｂ）
【手続補正書】
【提出日】平成19年6月18日(2007.6.18)
【手続補正１】
【補正対象書類名】明細書
【補正対象項目名】００１０
【補正方法】変更
【補正の内容】
【００１０】１  ［Ａ］のマイクロホン本体
２        口元に接する部分
３        取っ手
４［ＡＢ］シグナル
５  ［Ｂ］のマイクロホン本体
６        口元に接する部分
７        マイクロホンコ−ド
８        イヤホンコ−ド
９        二つのコ−ドを一体状にしたコ−ド
１０      タップへの差し込み口
１１      タップ形式の器具
１２      ＩＣレコ−ダ−
１３      ＩＣレコ−ダ−との接続部分
【手続補正書】
【提出日】平成19年6月18日(2007.6.18)
【手続補正１】
【補正対象書類名】明細書
【補正対象項目名】０００２
【補正方法】変更
【補正の内容】
【０００２】［従来は、ＩＣレコ−ダ−について本考案と同様の使用法はなされていなかったコ−ドの一体化については、通販イエメンの集音器を参考にした。
防湿等については、高吸収性樹脂の利用等が考えられる。
一体化したコ−ドをＩＣレコ−ダ−にタップ形式によって接続する方法については、従来のタップ形式にヒントを得た。］
従来は、ＩＣレコ−ダ−について本考案と同様の使用法はなされていなかった。
コ−ドについては、通販イメンスの集音器にヒントを得て一体化状にした。
防湿等については、高吸収性樹脂の利用等が考えられる。
一体化状にしたコ−ドをＩＣレコ−ダ−にタップ形式によって接続する方法については、従来のタップ形式にヒントを得た。
【手続補正書】
【提出日】平成19年6月24日(2007.6.24)
【手続補正１】
【補正対象書類名】実用新案登録請求の範囲
【補正対象項目名】請求項３
【補正方法】変更
【補正の内容】
【請求項３】
［マイクロホンの形状に関して、上唇のすぐ上からのど元にかけて顎も被う形に仕上げたマイクロホン    Ａ］
口元の周囲に伸縮性の素材を用いて密着度を図ったマイクロホン。［Ｂ］〕
マイクロホンの形状に関して、発声に伴う唇の動きに対応する為に、口元の周囲に伸縮性の素材を使用することにより密着度を図ったマイクロホン。
【手続補正書】
【提出日】平成19年6月24日(2007.6.24)
【手続補正１】
【補正対象書類名】明細書
【補正対象項目名】０００４
【補正方法】変更
【補正の内容】
【０００４】〔マイクロホンの素材については、ボディに消音機能を付加、または軽量の消音  防音  素材を用いる。発言時にはマイク等にシグナルがつくようにして、形状は、上唇のすぐ上からのど元まで顎を被う形として、可能ならば、発声に伴う唇の動きに対応する為に、上唇辺りは伸縮性の素材を使用することにより密着度を高める。マイクロホン内部は防湿、速乾性の素材による被膜、及び同様の処理を施した紙コップ上のものを挿入して交換する等、水滴への対応を考える。ＩＣレコ−ダ−を音声の集積ステ−ションとして考え、マイクロホンコ−ドとイヤホンコ−ドとの一体化状にしたものをタップ形式でＩＣレコ−ダ−に接続して、人数への対応を外部から行う。〕
マイクロホンの素材については、ボディに消音機能を付加、または軽量の消音（防音）素材を用いる。発言時にはマイク等にシグナルがつくようにして、形状は、発声に伴う唇の動きに対応する為に、口元の周囲に伸縮性の素材を使用することにより密着度を高める。マイクロホン内部は防湿、速乾性の素材による被膜、及び同様の処理を施した紙コップ状のものを挿入して交換する等、水滴への対応を考える。ＩＣレコ−ダ−を音声の集積ステ−ションとして考え、マイクロホンコ−ドとイヤホンコ−ドとの一体化状にしたものをタップ形式でＩＣレコ−ダ−に接続して、人数への対応を外部から行う。
【手続補正書】
【提出日】平成19年6月24日(2007.6.24)
【手続補正１】
【補正対象書類名】明細書
【補正対象項目名】００１０
【補正方法】変更
【補正の内容】
【００１０】１  マイクロホンボディ
２  口元に接触する部分
３  シグナル
４  マイクロホンコ−ドの差し込み口
５  マイクロホンへの接続する部分
６  マイクロホンコ−ド
７  イヤホン
８  イヤホンコ−ド
９  マイクロホンコ−ドとイヤホンコ−ドとの一体化状にしたコ−ド
１０  タップへの接続する部分
１１  タップへの差し込み口
１２  タップ形式による接続器
１３  ＩＣレコ−ダ−への接続する部分
１４  タップへの差し込み口
１５  ＩＣレコ−ダ−
0003138186.tif 000006
【手続補正書】
【提出日】平成19年7月4日(2007.7.4)
【手続補正１】
【補正対象書類名】実用新案登録請求の範囲
【補正対象項目名】全文
【補正方法】変更
【補正の内容】
【実用新案登録請求の範囲】
【請求項１】
マイクロホンに消音機能を付加し、または軽量の消音（防音）素材を用いて、発声の際、音声が外部へ漏れることを防止するようにしたマイクロホン。
【請求項２】
発声等による湿気、水滴の付着防止対策として、マイクロホン内部に速乾、防湿素材による被膜、または同様のの素材製の紙コップ状のものを挿入することにより交換を容易にしたマイクロホン。
【請求項３】
マイクロホンの形状に関して、発声に伴う唇の動きに対応する為に、口元の周囲に伸縮性の素材を使用することにより密着度を図ったマイクロホン。
【請求項４】
発声時にはボディにシグナルがつくような工夫を施したマイクロホン。
【請求項５】
コ−ドに関して、マイクロホンコ−ドとイヤホンコ−ドとを一体化状にすることによって簡便化を図った、音声漏洩防止の為の器具。
【請求項６】
ＩＣレコ−ダ−を音声の集積ステ−ションとして中央に置き、一体化状にしたコ−ドをタップ形式によってレコ−ダ−と接続することにより、外部から人数に対応可能な器具。
【手続補正２】
【補正対象書類名】明細書
【補正対象項目名】０００２
【補正方法】変更
【補正の内容】
【０００２】［従来は、ＩＣレコ−ダ−について本考案と同様の使用法はなされていなかったコ−ドの一体化については、通販イエメンの集音器を参考にした。
防湿等については、高吸収性樹脂の利用等が考えられる。
一体化したコ−ドをＩＣレコ−ダ−にタップ形式によって接続する方法については、従来のタップ形式にヒントを得た。］
従来は、マイクロホン等について本考案と同様の使用法はなされていなかった。
コ−ドについては、通販イメンスの集音器にヒントを得て一体化状にした。
防湿等については、高吸収性樹脂の利用等が考えられる。
一体化状にしたコ−ドをＩＣレコ−ダ−にタップ形式によって接続する方法については、従来のタップ形式にヒントを得た。
【手続補正３】
【補正対象書類名】明細書
【補正対象項目名】０００４
【補正方法】変更
【補正の内容】
【０００４】〔マイクロホンの素材については、ボディに消音機能を付加、または軽量の消音防音  素材を用いる。発言時にはマイク等にシグナルがつくようにして、形状は、上唇のすぐ上からのど元まで顎を被う形として、可能ならば、発声に伴う唇の動きに対応する為に、上唇辺りは伸縮性の素材を使用することにより密着度を高める。マイクロホン内部は防湿、速乾性の素材による被膜、及び同様の処理を施した紙コップ上のものを挿入して交換する等、水滴への対応を考える。ＩＣレコ−ダ−を音声の集積ステ−ションとして考え、マイクロホンコ−ドとイヤホンコ−ドとの一体化状にしたものをタップ形式でＩＣレコ−ダ−に接続して、人数への対応を外部から行う。〕
マイクロホンの素材については、ボディに消音機能を付加、または軽量の消音（防音）素材を用いる。発言時にはマイク等にシグナルがつくようにして、形状は、発声に伴う唇の動きに対応する為に、口元の周囲に伸縮性の素材を使用することにより密着度を高める。マイクロホン内部は防湿、速乾性の素材による被膜、及び同様の処理を施した紙コップ状のものを挿入して交換する等、水滴への対応を考える。ＩＣレコ−ダ−を音声の集積ステ−ションとして考え、マイクロホンコ−ドとイヤホンコ−ドとの一体化状にしたものをタップ形式でＩＣレコ−ダ−に接続して、人数への対応を外部から行う。
【手続補正４】
【補正対象書類名】図面
【補正対象項目名】全図
【補正方法】変更
【補正の内容】
【図１】
0003138186.tif 000007
【図２】
0003138186.tif 000008
【手続補正５】
【補正対象書類名】明細書
【補正対象項目名】００１０
【補正方法】変更
【補正の内容】
【００１０】１  マイクロホンボディ
２  口元に接触する部分
３  シグナル
４  マイクロホンコ−ドの差し込み口
５  マイクロホンへの接続する部分
６  マイクロホンコ−ド
７  イヤホン
８  イヤホンコ−ド
９  マイクロホンコ−ドとイヤホンコ−ドとの一体化状にしたコ−ド
１０  タップへの接続する部分
１１  タップへの差し込み口
１２  タップ形式による接続器
１３  ＩＣレコ−ダ−への接続する部分
１４  タップへの差し込み口
１５  ＩＣレコ−ダ−
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
軽量の消音または防音素材によりボディ全体を構成した外部マイクロホンとＩＣレコ−ダ−を接続した音声漏洩防止器。
【請求項２】
発声による湿気、水滴の付着防止の為、マイクロホンのボディ内部を速乾、防湿素材により被膜、または速乾、防湿素材製紙コップ状のものを挿入した、請求項１記載の音声漏洩防止器。
【請求項３】
マイクロホンボディの口元周囲に伸縮性素材からなる構成を設けた請求項１記載の音声漏洩防止器。
【請求項４】
ボディに発声時のサインを表示するランプを取り付けた、請求項１記載の音声漏洩防止器。
【請求項５】
マイクロホンコ−ドとイヤホンコ−ドとの一体化状コ−ドにより、ＩＣレコ−ダ−と接続した請求項１記載の音声漏洩防止器。
【請求項６】
外部マイクロホンとＩＣレコ−ダ−とを前記記載の一体化状コ−ドにより、タップ形式で接続した請求項５記載の音声漏洩防止器。
【手続補正３】
【補正対象書類名】明細書
【補正対象項目名】０００２
【補正方法】変更
【補正の内容】
【０００２】従来は、ＩＣレコ−ダ−について本考案と同様の使用法はなされていなかった。
コ−ドについては、通販イメンスの集音器にヒントを得て一体化状にした。
防湿等については、高吸収性樹脂の利用等が考えられる。
一体化状にしたコ−ドをＩＣレコ−ダ−にタップ形式によって接続する方法については、従来のタップにヒントを得た。
軽量の消音または防音素材としては、日本特殊塗料製の自動車用超軽量防音材ウルトラライトの使用が考えられる。